(57)【要約】【課題】撮像された複数の画像の表示順序を、これまでより簡単な操作で設定する。【解決手段】複数の画像を撮像する撮像部と、撮像部が撮像した複数の画像を順次記録する画像記録部と、画像記録部に記録された複数の画像を順次表示する画像表示部と、使用者の指示に基づいて、画像表示部に表示された一の画像を選択画像として選択する画像選択部と、選択画像が選択された状態において、当該選択画像の前または後に追加すべき追加画像を撮像する撮像指示を入力する撮像指示入力部と、撮像指示に応じて撮像部により撮像された追加画像を、選択画像の前または後に表示すべき画像として画像記録部に記録する画像追加部とを備える撮像装置を提供する。【選択図】図２
2007043664.tif 000002
【特許請求の範囲】
【請求項１】
複数の画像を撮像する撮像部と、
前記撮像部が撮像した前記複数の画像を順次記録する画像記録部と、
前記画像記録部に記録された前記複数の画像を表示する画像表示部と、
使用者の指示に基づいて、前記画像表示部に表示された一の画像を選択画像として選択する画像選択部と、
前記選択画像が選択された状態において、当該選択画像が表示されるタイミングに対する予め定められたタイミングで表示すべき追加画像を撮像する撮像指示を入力する撮像指示入力部と、
前記撮像指示に応じて前記撮像部により撮像された追加画像を、前記選択画像が表示されるタイミングに対する予め定められたタイミングで表示すべき画像として前記画像記録部に記録する画像追加部と
を備える撮像装置。
【請求項２】
前記画像追加部は、前記撮像指示に応じて前記撮像部により撮像された追加画像を、前記選択画像が表示されるタイミングで前記選択画像に代えて表示すべき画像として、前記画像記録部に記録する
請求項１に記載の撮像装置。
【請求項３】
前記画像追加部は、前記撮像指示に応じて前記撮像部により撮像された追加画像を、前記選択画像の前または後に表示すべき画像として前記画像記録部に記録する
請求項１に記載の撮像装置。
【請求項４】
前記画像選択部は、前記画像表示部が一の画像を使用者に対して表示している状態において、使用者により当該画像の選択を指示されたことに応じて、当該画像を前記選択画像として選択し、
前記画像表示部は、前記選択画像の選択を維持した状態において、前記撮像部による撮像対象となる撮像範囲を表示し、
前記撮像指示入力部は、前記撮像範囲を表示している状態において前記撮像指示を入力し、
前記画像追加部は、前記撮像指示に応じて前記撮像部により撮像された前記追加画像を、前記選択画像が表示されるタイミングに対する予め定められたタイミングで表示すべき画像として前記画像記録部に記録する
請求項１に記載の撮像装置。
【請求項５】
前記複数の画像を表示装置に表示させる順序を記録したアルバム情報ファイルを、前記複数の画像のそれぞれとは別個のファイルとして記録するアルバム情報ファイル記録部を更に備え、
前記画像追加部は、前記追加画像を前記画像記録部に記録すると共に、前記追加画像を前記選択画像が表示されるタイミングに対する予め定められたタイミングで表示すべきことを示す情報を前記アルバム情報ファイルに記録する
請求項１に記載の撮像装置。
【請求項６】
前記画像選択部は、使用者の指示に基づいて２以上の前記選択画像を選択し、
前記撮像指示入力部は、前記２以上の選択画像が選択された状態において、それぞれの前記選択画像が表示されるタイミングに対する予め定められたタイミングで表示すべき前記追加画像を撮像する前記撮像指示を順次入力し、
前記画像追加部は、前記２以上の選択画像のそれぞれについて、当該選択画像についての前記撮像指示に応じて前記撮像部により撮像された前記追加画像を、当該選択画像が表示されるタイミングに対する予め定められたタイミングで表示すべき画像として前記画像記録部に順次記録する
請求項１に記載の撮像装置。
【請求項７】
前記画像表示部は、前記撮像指示入力部が前記撮像指示を入力したことに応じて、次の前記選択画像を予め定められた時間表示する
請求項６に記載の撮像装置。
【請求項８】
前記撮像部は、前記撮像指示に応じて、前記画像選択部が選択した選択画像の撮像条件で追加画像を撮像する
請求項１に記載の撮像装置。
【請求項９】
前記画像記録部が記録した前記複数の画像に対応づけて、前記複数の画像のそれぞれの撮像条件を記録する撮像条件記録部と、
前記選択画像を含む連続する複数の画像に対応づけて前記撮像条件記録部が記録した撮像条件に基づいて、前記追加画像の撮像条件を決定する撮像条件決定部と
をさらに備え、
前記撮像部は、前記撮像指示に応じて、前記撮像条件決定部が決定した撮像条件で前記追加画像を撮像する
請求項１に記載の撮像装置。
【請求項１０】
前記撮像条件決定部は、前記選択画像を含む連続する複数の画像に対応づけて前記撮像条件記録部が記録した撮像条件の平均値に基づいて、前記追加画像の撮像条件を決定する
請求項９に記載の撮像装置。
【請求項１１】
複数の画像を撮像する撮像部と、
前記撮像部が撮像した前記複数の画像を順次記録する画像記録部と、
前記画像記録部に記録された前記複数の画像を表示する画像表示部と
を備える撮像装置の制御方法であって、
使用者の指示に基づいて、前記画像表示部に表示された一の画像を選択画像として選択する段階と、
前記選択画像が選択された状態において、当該選択画像が表示されるタイミングに対する予め定められたタイミングで表示すべき追加画像を撮像する撮像指示を入力する段階と、
前記撮像指示に応じて前記撮像部により撮像された追加画像を、前記選択画像が表示されるタイミングに対する予め定められたタイミングで表示すべき画像として前記画像記録部に記録する段階と
を備える制御方法。
【請求項１２】
複数の画像を撮像する撮像部と、
前記撮像部が撮像した前記複数の画像を順次記録する画像記録部と、
前記画像記録部に記録された前記複数の画像を表示する画像表示部と
を備える撮像装置を制御するプログラムであって、
前記撮像装置を、
使用者の指示に基づいて、前記画像表示部に表示された一の画像を選択画像として選択する画像選択部と、
前記選択画像が選択された状態において、当該選択画像が表示されるタイミングに対する予め定められたタイミングで表示すべき追加画像を撮像する撮像指示を入力する撮像指示入力部と、
前記撮像指示に応じて前記撮像部により撮像された追加画像を、前記選択画像が表示されるタイミングに対する予め定められたタイミングで表示すべき画像として前記画像記録部に記録する画像追加部と
して機能させるプログラム。
【請求項１３】
複数の画像を撮像する撮像部と、
前記撮像部が撮像した前記複数の画像を順次記録する画像記録部と、
前記画像記録部に記録された前記複数の画像を予め設定された表示順で配列して表示する画像表示部と、
前記画像表示部が表示している前記複数の画像に対して、前記撮像部が新たに撮像する追加画像を表示すべき表示順を示す表示順情報を、使用者の指示に基づいて前記画像表示部に表示させる追加位置表示制御部と、
前記画像表示部が前記複数の画像及び前記表示順情報を表示している状態において、前記追加画像を撮像する撮像指示を入力する撮像指示入力部と、
前記撮像指示に応じて前記撮像部により撮像された追加画像を、前記表示順情報によって示される表示順で表示すべき画像として前記画像記録部に記録する画像追加部と
を備える撮像装置。
【請求項１４】
前記撮像部は被写体を連続的に撮像しており、
前記画像表示部は、前記複数の画像を予め設定された表示順で配列して第１表示領域に表示するとともに、前記撮像部によって新たに撮像されるべき追加画像を撮像するための、前記撮像部が連続的に被写体を撮像して得られるモニタ画像を、前記第１表示領域と異なる第２表示領域に表示し、
前記追加位置表示制御部は、前記追加画像を表示させる表示順を示すマークを、前記表示順情報として前記第１表示領域に表示させる
請求項１３に記載の撮像装置。
【請求項１５】
前記撮像部は被写体を連続的に撮像しており、
前記画像表示部は、前記複数の画像を予め設定された表示順で前面から後面に配列して表示し、
前記追加位置表示制御部は、前記表示部が表示する前記複数の画像の最前面に、前記撮像部が連続的に被写体を撮像して得られるモニタ画像を表示させる
請求項１３に記載の撮像装置。
【請求項１６】
複数の画像を撮像する撮像部と、
前記撮像部が撮像した前記複数の画像を順次記録する画像記録部と、
前記画像記録部に記録された前記複数の画像を予め設定された表示順で配列して表示する画像表示部と
を備える撮像装置の制御方法であって、
前記画像表示部が表示している前記複数の画像に対して、前記撮像部が新たに撮像する追加画像を表示すべき表示順を示す表示順情報を、使用者の指示に基づいて前記画像表示部に表示させる段階と、
前記画像表示部が前記複数の画像及び前記表示順情報を表示している状態において、前記追加画像を撮像する撮像指示を入力する段階と、
前記撮像指示に応じて前記撮像部により撮像された追加画像を、前記表示順情報によって示される表示順で表示すべき画像として前記画像記録部に記録する段階と
を備える制御方法。
【請求項１７】
複数の画像を撮像する撮像部と、
前記撮像部が撮像した前記複数の画像を順次記録する画像記録部と、
前記画像記録部に記録された前記複数の画像を予め設定された表示順で配列して表示する画像表示部と
を備える撮像装置を制御するプログラムであって、
前記撮像装置を、
前記画像表示部が表示している前記複数の画像に対して、前記撮像部が新たに撮像する追加画像を表示すべき表示順を示す表示順情報を、使用者の指示に基づいて前記画像表示部に表示させる追加位置表示制御部と、
前記画像表示部が前記複数の画像及び前記表示順情報を表示している状態において、前記追加画像を撮像する撮像指示を入力する撮像指示入力部と、
前記撮像指示に応じて前記撮像部により撮像された追加画像を、前記表示順情報によって示される表示順で表示すべき画像として前記画像記録部に記録する画像追加部と
して機能させるプログラム。
【発明の詳細な説明】
【技術分野】
【０００１】
本発明は、撮像装置、制御方法およびプログラムに関する。特に、本発明は、撮像した複数の画像の記録順序または表示順序を定める撮像装置、制御方法およびプログラムに関する。
【背景技術】
【０００２】
近年、デジタルカメラと大容量の記録媒体とが比較的安価に入手できるため、営業目的のみならず個人的な利用においても大量の画像を撮像・管理することが一般的になってきている。大量の画像を効率的に管理するために、従来、画像をグループに分類したり、画像を閲覧し易い順序に並べ替えたり、画像に対してトリミングや回転等の処理を行って画像自体を変換して記録媒体に記録することが行われている。
【０００３】
例えば、従来、画像をデジタルアルバムに収納する作業を効率化する目的で、デジタルアルバムが開かれているときに入力した画像はそのデジタルアルバムに収納し、デジタルアルバムが開かれていないときに入力した画像は新たなデジタルアルバムに収納する技術が提案されている（特許文献１参照。）。この技術によれば、画像を収納すべきデジタルアルバムを選択する作業を簡略化して、利用者の手間を省くことができる。
【特許文献１】特開２０００−８２１２８号公報
【発明の開示】
【発明が解決しようとする課題】
【０００４】
しかしながら、上記の技術によっては、同一のデジタルアルバムに収納された複数の画像について、それらの間の表示順序を効率的に定めることはできない。このため、デジタルアルバム中の複数の画像について、その表示順序を定めるには、利用者が画像を並べ替えたり、順序を示す数値を入力しなければならず、煩雑であった。また、上記の技術は、既に撮像された複数の画像を効率的に管理することを目的とする。このため、撮像装置で次に撮像しようとする画像を、その撮像装置で既に撮像された複数の画像との関係においてどのような順序で記録するかを制御することはできなかった。
【０００５】
そこで本発明は、上記の課題を解決することのできる撮像装置、制御方法およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、複数の画像を撮像する撮像部と、撮像部が撮像した複数の画像を順次記録する画像記録部と、画像記録部に記録された複数の画像を表示する画像表示部と、使用者の指示に基づいて、画像表示部に表示された一の画像を選択画像として選択する画像選択部と、選択画像が選択された状態において、当該選択画像が表示されるタイミングに対する予め定められたタイミングで表示すべき追加画像を撮像する撮像指示を入力する撮像指示入力部と、撮像指示に応じて撮像部により撮像された追加画像を、選択画像が表示されるタイミングに対する予め定められたタイミングで表示すべき画像として画像記録部に記録する画像追加部とを備える撮像装置を提供する。
【０００７】
画像追加部は、撮像指示に応じて撮像部により撮像された追加画像を、選択画像が表示されるタイミングで選択画像に代えて表示すべき画像として、画像記録部に記録してよい。また、画像追加部は、撮像指示に応じて撮像部により撮像された追加画像を、選択画像の前または後に表示すべき画像として画像記録部に記録してよい。
【０００８】
また、画像選択部は、画像表示部が一の画像を使用者に対して表示している状態において、使用者により当該画像の選択を指示されたことに応じて、当該画像を選択画像として選択し、画像表示部は、選択画像の選択を維持した状態において、撮像部による撮像対象となる撮像範囲を表示し、撮像指示入力部は、撮像範囲を表示している状態において撮像指示を入力し、画像追加部は、撮像指示に応じて撮像部により撮像された追加画像を、選択画像が表示されるタイミングに対する予め定められたタイミングで表示すべき画像として画像記録部に記録してもよい。
【０００９】
また、複数の画像を表示装置に表示させる順序を記録したアルバム情報ファイルを、複数の画像のそれぞれとは別個のファイルとして記録するアルバム情報ファイル記録部を更に備え、画像追加部は、追加画像を画像記録部に記録すると共に、追加画像を選択画像が表示されるタイミングに対する予め定められたタイミングで表示すべきことを示す情報をアルバム情報ファイルに記録してもよい。
【００１０】
また、画像選択部は、使用者の指示に基づいて２以上の選択画像を選択し、撮像指示入力部は、２以上の選択画像が選択された状態において、それぞれの選択画像が表示されるタイミングに対する予め定められたタイミングで表示すべき追加画像を撮像する撮像指示を順次入力し、画像追加部は、２以上の選択画像のそれぞれについて、当該選択画像についての撮像指示に応じて撮像部により撮像された追加画像を、当該選択画像が表示されるタイミングに対する予め定められたタイミングで表示する画像として画像記録部に順次記録してもよい。
また、画像表示部は、撮像指示入力部が撮像指示を入力したことに応じて、次の選択画像を予め定められた時間表示してもよい。
【００１１】
撮像部は、撮像指示に応じて、画像選択部が選択した選択画像の撮像条件で追加画像を撮像してよい。
【００１２】
画像記録部が記録した複数の画像に対応づけて、複数の画像のそれぞれの撮像条件を記録する撮像条件記録部と、選択画像を含む連続する複数の画像に対応づけて撮像条件記録部が記録した撮像条件に基づいて、追加画像の撮像条件を決定する撮像条件決定部とをさらに備え、撮像部は、撮像指示に応じて、撮像条件決定部が決定した撮像条件で追加画像を撮像してよい。
【００１３】
撮像条件決定部は、選択画像を含む連続する複数の画像に対応づけて撮像条件記録部が記録した撮像条件の平均値に基づいて、追加画像の撮像条件を決定してよい。
【００１４】
本発明の第２の形態においては、複数の画像を撮像する撮像部と、撮像部が撮像した複数の画像を順次記録する画像記録部と、画像記録部に記録された複数の画像を順次表示する画像表示部とを備える撮像装置の制御方法であって、使用者の指示に基づいて、画像表示部に表示された一の画像を選択画像として選択する段階と、選択画像が選択された状態において、当該選択画像が表示されるタイミングに対する予め定められたタイミングで表示すべき追加画像を撮像する撮像指示を入力する段階と、撮像指示に応じて撮像部により撮像された追加画像を、選択画像が表示されるタイミングに対する予め定められたタイミングで表示すべき画像として画像記録部に記録する段階とを備える制御方法を提供する。
【００１５】
本発明の第３の形態においては、複数の画像を撮像する撮像部と、撮像部が撮像した複数の画像を順次記録する画像記録部と、画像記録部に記録された複数の画像を順次表示する画像表示部とを備える撮像装置を制御するプログラムであって、撮像装置を、使用者の指示に基づいて、画像表示部に表示された一の画像を選択画像として選択する画像選択部と、選択画像が選択された状態において、当該選択画像が表示されるタイミングに対する予め定められたタイミングで表示すべき追加画像を撮像する撮像指示を入力する撮像指示入力部と、撮像指示に応じて撮像部により撮像された追加画像を、選択画像が表示されるタイミングに対する予め定められたタイミングで表示すべき画像として画像記録部に記録する画像追加部として機能させるプログラムを提供する。
【００１６】
本発明の第４の形態においては、複数の画像を撮像する撮像部と、撮像部が撮像した複数の画像を順次記録する画像記録部と、画像記録部に記録された複数の画像を予め設定された表示順で配列して表示する画像表示部と、画像表示部が表示している複数の画像に対して、撮像部が新たに撮像する追加画像を表示すべき表示順を示す表示順情報を、使用者の指示に基づいて画像表示部に表示させる追加位置表示制御部と、画像表示部が複数の画像及び表示順情報を表示している状態において、追加画像を撮像する撮像指示を入力する撮像指示入力部と、撮像指示に応じて撮像部により撮像された追加画像を、表示順情報によって示される表示順で表示すべき画像として画像記録部に記録する画像追加部とを備える撮像装置を提供する。
【００１７】
撮像部は被写体を連続的に撮像しており、画像表示部は、複数の画像を予め設定された表示順で配列して第１表示領域に表示するとともに、撮像部によって新たに撮像されるべき追加画像を撮像するための、撮像部が連続的に被写体を撮像して得られるモニタ画像を、第１表示領域と異なる第２表示領域に表示し、追加位置表示制御部は、追加画像を表示させる表示順を示すマークを、表示順情報として第１表示領域に表示させてよい。
【００１８】
撮像部は被写体を連続的に撮像しており、画像表示部は、複数の画像を予め設定された表示順で前面から後面に配列して表示し、追加位置表示制御部は、表示部が表示する複数の画像の最前面に、撮像部が連続的に被写体を撮像して得られるモニタ画像を表示させてよい。
【００１９】
本発明の第５の形態においては、複数の画像を撮像する撮像部と、撮像部が撮像した複数の画像を順次記録する画像記録部と、画像記録部に記録された複数の画像を予め設定された表示順で配列して表示する画像表示部とを備える撮像装置の制御方法であって、画像表示部が表示している複数の画像に対して、撮像部が新たに撮像する追加画像を表示すべき表示順を示す表示順情報を、使用者の指示に基づいて画像表示部に表示させる段階と、画像表示部が複数の画像及び表示順情報を表示している状態において、追加画像を撮像する撮像指示を入力する段階と、撮像指示に応じて撮像部により撮像された追加画像を、表示順情報によって示される表示順で表示すべき画像として画像記録部に記録する段階とを備える制御方法を提供する。
【００２０】
本発明の第６の形態においては、複数の画像を撮像する撮像部と、撮像部が撮像した複数の画像を順次記録する画像記録部と、画像記録部に記録された複数の画像を予め設定された表示順で配列して表示する画像表示部とを備える撮像装置を制御するプログラムであって、撮像装置を、画像表示部が表示している複数の画像に対して、撮像部が新たに撮像する追加画像を表示すべき表示順を示す表示順情報を、使用者の指示に基づいて画像表示部に表示させる追加位置表示制御部と、画像表示部が複数の画像及び表示順情報を表示している状態において、追加画像を撮像する撮像指示を入力する撮像指示入力部と、撮像指示に応じて撮像部により撮像された追加画像を、表示順情報によって示される表示順で表示すべき画像として画像記録部に記録する画像追加部として機能させるプログラムを提供する。
なお、上記の発明の概要は、本発明の必要な特徴の全てを列挙したものではなく、これらの特徴群のサブコンビネーションもまた、発明となりうる。
【発明の効果】
【００２１】
本発明によれば、撮像された複数の画像の表示順序を、これまでより簡単な操作で設定することができる。
【発明を実施するための最良の形態】
【００２２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２３】
図１は、画像管理システム１０の全体構成を示す。画像管理システム１０は、撮像装置２０と、記録媒体３０とを有する。撮像装置２０は、撮像者の撮像操作に応じて被写体を撮像する。そして、撮像装置２０は、撮像した画像を記録媒体３０に記録する。また、撮像装置２０は、記録媒体３０に記録された画像を撮像者に表示する。本実施例に係る撮像装置２０は、画像の撮像中に、既に撮像した画像とこれから撮像する画像との間の表示順序の関係を、これまでより簡単かつ直感的な操作で設定できるようにすることを目的とする。
【００２４】
なお、撮像装置２０は、記録媒体３０等の記録媒体からプログラムを読み出して実行することにより、撮像装置２０として機能してもよい。記録媒体は、記録媒体３０として図示した光磁気記録メディアのみならず、メモリカード等の半導体記録メディアであってもよいし、ハードディスクドライブ等の磁気記録メディアであってもよい。
【００２５】
図２は、撮像装置２０の機能を機能ブロックに分類して示す。撮像装置２０は、撮像部２００と、画像記録部２１０と、画像表示部２２０と、表示タイミング指示入力部２７０と、撮像指示入力部２４０と、画像追加部２５０と、アルバム情報ファイル記録部２６０と、追加位置表示制御部２７２と、撮像条件決定部２８０と、及び撮像条件記録部２９０とを有する。表示タイミング指示入力部２７０は、画像選択部２３０を含む。撮像部２００は、画像を撮像する撮像指示を撮像指示入力部２４０が受けたことに応答して、被写体の画像を撮像する。例えば、撮像指示入力部２４０は、利用者によって撮像装置２０のシャッターボタンが押下された場合に、当該撮像指示を受けたと判断してもよい。
【００２６】
画像記録部２１０は、撮像部２００が撮像した複数の画像を順次記録する。即ち例えば、通常は、画像記録部２１０は、撮像部２００が撮像した複数の画像をその撮像順に記録する。また、画像記録部２１０は、記録している画像の画像データを出力して記録媒体３０に記録してもよい。画像表示部２２０は、画像記録部２１０に記録された複数の画像を順次表示する。表示タイミング指示入力部２７０は、新たに撮像する追加画像を表示させるべき、画像表示部２２０に表示される画像の表示順における位置を示す表示タイミングを、使用者の指示に基づいて入力する。具体的には、画像選択部２３０は、使用者の指示に基づいて、画像表示部２２０に表示された一の画像を選択画像として選択する。撮像指示入力部２４０は、選択画像が選択された状態において、その選択画像が表示されるタイミングに対する予め定められたタイミングで表示すべき追加画像を撮像する撮像指示を入力する。例えば、撮像指示入力部２４０は、選択画像が選択された状態において、その選択画像の前または後に追加すべき追加画像を撮像する撮像指示を入力する。そして、画像追加部２５０は、その撮像指示に応じて撮像部２００により撮像された追加画像を、選択画像の前または後に表示すべき画像として画像記録部２１０に記録する。なお、選択画像の前または後とは、選択画像の直前又は直後を意味してよい。また、撮像指示入力部２４０は、選択画像が選択された状態において、当該選択画像が表示されるタイミングで選択画像に代えて表示すべき追加画像を撮像する撮像指示を入力してよい。そして、画像追加部２５０は、撮像指示に応じて撮像部２００により撮像された追加画像を、選択画像が表示されるタイミングで選択画像に代えて表示すべき画像として、画像記録部２１０に記録してよい。
【００２７】
アルバム情報ファイル記録部２６０は、複数の画像を表示装置に表示させる順序を記録したアルバム情報ファイルを、複数の画像のそれぞれとは別個のファイルとして記録する。記録されたアルバム情報ファイルは、更に、記録媒体３０に記録されてもよい。具体的な処理としては、まず、アルバム情報ファイル記録部２６０は、画像を収納するデジタルアルバムを生成する指示に応じて、画像をグループとして記録するためのアルバム情報ファイルを生成する。このアルバム情報ファイルは、初期状態としては何れの画像をも含まなくてもよい。そして、アルバム情報ファイル記録部２６０は、撮像指示入力部２４０が撮像指示を入力する毎に、その撮像指示に基づいて撮像された画像の識別情報を順次アルバム情報ファイルに記録する。
【００２８】
また、撮像部２００が追加画像を撮像した場合においては、画像追加部２５０は、追加画像を画像記録部２１０に記録すると共に、追加画像を選択画像の前または後に表示すべきことを示す情報を、アルバム情報ファイル記録部２６０中のアルバム情報ファイルに記録する。例えば、アルバム情報ファイル記録部２６０は、アルバム情報ファイル内で画像の識別番号をそれらの画像の表示順序で配列した番号配列に、追加画像の識別番号を挿入してもよい。
【００２９】
撮像条件記録部２９０は、画像記録部２１０が記録した複数の画像に対応づけて、複数の画像のそれぞれの撮像条件を記録する。撮像条件決定部２８０は、選択画像を含む連続する複数の画像（具体的には、選択画像を含む連続して表示される複数の画像）に対応づけて撮像条件記録部２９０が記録した撮像条件に基づいて、追加画像の撮像条件を決定する。例えば、撮像条件決定部２８０は、選択画像を含む連続する複数の画像に対応づけて撮像条件記録部２９０が記録した撮像条件の平均値に基づいて、追加画像の撮像条件を決定する。そして、撮像部２００は、撮像指示に応じて、撮像条件決定部２８０が決定した撮像条件で追加画像を撮像する。なお、撮像部２００は、撮像指示に応じて、画像選択部２３０が選択した選択画像の撮像条件で追加画像を撮像してもよい。
【００３０】
画像表示部２２０は、画像記録部２１０に記録された複数の画像を予め設定された表示順で配列して表示する。そして、追加位置表示制御部２７２は、画像表示部２２０が表示している複数の画像に対して、撮像部２００が新たに撮像する追加画像を表示すべき表示順を示す表示順情報を、使用者の指示に基づいて画像表示部２２０に表示させる。そして、撮像指示入力部２４０は、画像表示部２２０が複数の画像及び表示順情報を表示している状態において、追加画像を撮像する撮像指示を入力する。そして、画像追加部２５０は、撮像指示に応じて撮像部２００により撮像された追加画像を、表示順情報によって示される表示順で表示すべき画像として画像記録部２１０に記録する。
【００３１】
撮像部２００は被写体を連続的に撮像してよい。このとき、画像表示部２２０は、複数の画像を予め設定された表示順で配列して第１表示領域に表示するとともに、撮像部２００によって新たに撮像されるべき追加画像を撮像するための、撮像部２００が連続的に被写体を撮像して得られるモニタ画像を、第１表示領域と異なる第２表示領域に表示する。そして、追加位置表示制御部２７２は、追加画像を表示させる表示順を示すマークを、表示順情報として第１表示領域に表示させる。
【００３２】
追加画像の表示順を示す他の表示方法としては、画像表示部２２０は、複数の画像を予め設定された表示順で前面から後面に配列して表示してよい。そして、追加位置表示制御部２７２は、表示部が表示する複数の画像の最前面に、撮像部２００が連続的に被写体を撮像して得られるモニタ画像を、画像表示部２２０に表示させてよい。このとき、追加位置表示制御部２７２は、追加画像が表示された後に続けて表示される複数の画像を、予め設定された表示順で前面から後面に配列して画像表示部２２０に表示させる。このように表示することにより、使用者は、追加画像が表示される順番をより直感的に理解することができる。なお、画像表示部２２０は、複数の画像を予め設定された表示順で後面から前面に配列して表示してもよい。このとき、追加位置表示制御部２７２は、追加画像が表示される前に続けて表示される複数の画像を、予め設定された表示順で後面から前面に配列して表示する。
【００３３】
図３は、本実施例に係る記録媒体３０のディレクトリ構成及びファイル構成の一例を示す。本実施形態に係る記録媒体３０は、撮像された複数の画像と、アルバム情報ファイルとのそれぞれを、別個のファイルとして記録媒体に記録させる規格に準拠している。この規格は、Ｐｉｃｔｕｒｅ  Ａｒｃｈｉｖｅ  Ａｎｄ  Ｓｈａｒｉｎｇ  Ｓｙｓｔｅｍ規格と呼ばれ、出願人を含む複数の同業事業者によって策定された統一規格である。具体的には、記録媒体３０は、ルートディレクトリの直下に、アセットディレクトリ３００、アルバムディレクトリ３３０、およびインデックスファイル３４０を格納している。アセットディレクトリ３００は、撮像された画像のデータを、複数のアセットロールディレクトリ（３１０ａ及び３１０ｂ。以降３１０として表記）に格納している。なお、本図において、アセットディレクトリ３００は、２つのアセットロールディレクトリ３１０を格納しているが、これに代えて、１つのみ、または３つ以上のアセットロールディレクトリ３１０を格納していてもよい。
【００３４】
アセットロールディレクトリ３１０ａは、複数の画像３１２ａ、アセット情報ファイル３１４ａ、及び表示用画像ディレクトリ３１６ａを格納している。また、アセットロールディレクトリ３１０ａは、更に、録音された音声を格納していてもよい。複数の画像３１２ａは、例えば、撮像装置２０によって撮像された静止画像や動画像であってよい。アセット情報ファイル３１４ａは、アセットロールディレクトリ３１０ａに格納されている複数の画像３１２ａのそれぞれへのパスを格納している。表示用画像ディレクトリ３１６ａは、アセットロールディレクトリ３１０ａの下位に位置すると共に、複数の表示用画像３１８ａを格納している。複数の表示用画像３１８ａは、複数の画像３１２に代えて表示される画像であり、例えば、複数の画像の解像度を下げることによって生成された画像であってよい。なお、アセットロールディレクトリ３１０ａは、表示用画像における解像度や縦横比等が異なる、複数の表示用画像ディレクトリを格納していてもよい。これにより、表示用画像を表示する場合に利用する表示装置や表示方法毎に解像度や縦横比が異なる場合であっても、当該表示装置や表示方法に適した、表示品質の高い画像を表示することができる。また、アセット情報ファイル３１４ａは、複数の表示用画像３１８ａのそれぞれへのパスを更に格納している。
【００３５】
アセットロールディレクトリ３１０ｂは、複数の画像３１２ｂ、アセット情報ファイル３１４ｂ、及び複数の表示用画像３１８ｂが格納されている表示用画像ディレクトリ３１６ｂを格納している。本例に示すように、記録媒体３０は、複数の画像を、複数のアセットロールディレクトリ３１０に分類して格納することができる。
【００３６】
アルバムディレクトリ３３０は、複数のアルバム情報ファイル３３２を格納している。アルバム情報ファイル３３２は、画像を分類したグループ毎に設けられる。そして、各々のアルバム情報ファイル３３２は、記録媒体３０に記録された複数の画像（３１２ａ及び３１２ｂ。以降３１２と表記）のうち、当該アルバム情報ファイルに対応するグループに含まれる画像の表示順序を定める。具体的には、アルバム情報ファイル３３２は、表示すべき画像へのパスを格納しているアセット情報ファイル（３１４ａ及び３１４ｂ。以降３１４と表記）へのパス、及び当該表示すべき画像のそれぞれを識別する画像識別子を、表示順序に従って格納していてよい。なお、この場合、アセット情報ファイル３１４は、複数の画像３１２のそれぞれへのパスと、当該画像を識別する画像識別子とを、対応付けて格納していてよい。
【００３７】
インデックスファイル３４０は、複数のアセット情報ファイル３１４のそれぞれへのパス、及び複数のアルバム情報ファイル３３２へのパスを格納している。なお、インデックスファイル３４０は、記録媒体３０毎に異なることのない、予め定められたパスに記録されている。具体的には、インデックスファイル３４０は、記録媒体３０のルートディレクトリの直下に、"ＰＡＳＳＩＤＸ．ＰＶＭ"というファイル名で記録されていてよい。
【００３８】
なお、本図に示したアセットディレクトリ３００、アセットロールディレクトリ３１０、複数の画像３１２、アセット情報ファイル３１４、表示用画像ディレクトリ（３１６ａ及び３１６ｂ。以降３１６と表記）、複数の表示用画像３１８、アルバムディレクトリ３３０、並びに複数のアルバム情報ファイル３３２の少なくとも一部は、例えば利用者等によって予め定められた記録媒体３０のフォーマットによって異なっていてよい。ここで、記録媒体３０のフォーマットとは、例えば、Ｆｕｊｉｃｏｌｏｒ（登録商標）ＣＤ、ＰｉｃｔｕｒｅＣＤ（登録商標）、及びＨｏｔＡｌｂｕｍ（登録商標）等であってよい。
なお、アセットロールディレクトリ３１０は、複数の記録媒体３０のそれぞれが有するアセットロールディレクトリ３１０のそれぞれを識別可能なディレクトリ名を有していてよい。また、同様にして、記録媒体３０に格納されている、複数の画像３１２、アセット情報ファイル３１４、表示用画像ディレクトリ３１６、複数の表示用画像３１８、アルバムディレクトリ３３０、及び複数のアルバム情報ファイル３３２の少なくとも一部も、複数の記録媒体３０のそれぞれが備えるそれぞれのファイル及びディレクトリを識別可能な名称を有していてよい。
【００３９】
図４は、画像選択部２３０が選択画像を選択する処理の処理フローを示す。撮像部２００は、撮像部２００によって既に撮像された画像の中から、使用者に指定された一の画像を表示する（Ｓ４００）。そして、画像選択部２３０は、撮像部２００が当該画像を使用者に対して表示している状態において、使用者により当該画像の選択を指示されたことに応じて（Ｓ４１０：ＹＥＳ）、当該画像を選択画像として選択する（Ｓ４２０）。撮像装置２０は、以上の処理を、使用者によって表示すべき画像が変更される毎に繰り返してもよい。この場合、画像選択部２３０は、使用者の指示に基づいて２以上の選択画像を選択し、選択された各々の画像をその選択順序と共に記録する。
【００４０】
図５は、画像追加部２５０が追加画像を追加する処理の処理フローを示す。撮像部２００は、選択画像の選択を維持した状態において、撮像部２００による撮像対象となる撮像範囲を表示する（Ｓ５００）。撮像指示入力部２４０は、撮像範囲を表示している状態において撮像指示を入力する（Ｓ５１０）。撮像指示が入力された場合に（Ｓ５１０：ＹＥＳ）、画像追加部２５０は、撮像指示に応じて撮像部２００により撮像された追加画像を、初めに選択された選択画像の前または後に表示すべき画像として画像記録部２１０に記録する（Ｓ５２０）。なお、Ｓ５２０における処理の詳細は、図６に関連して説明される。
【００４１】
複数の選択画像が選択されている場合において、未だ追加画像の追加対象となっていない未処理の選択画像が残っている場合には（Ｓ５３０：ＹＥＳ）、撮像部２００は、Ｓ５２０において追加の対象となった選択画像の次の選択画像を表示する（Ｓ５４０）。当該次の選択画像を予め定められた時間表示した後に、撮像装置２０は、Ｓ５００に処理を戻して次の追加画像を撮像する。一方で、未処理の選択画像が残っていなければ（Ｓ５３０：ＮＯ）、撮像装置２０は、追加画像の撮像を終了する。
【００４２】
図６は、Ｓ５２０の詳細な処理フローを示す。撮像条件決定部２８０は、選択画像の前又は後に表示される、選択画像を含む所定数の画像の撮像条件を読み出す（Ｓ５２１）。例えば、撮像条件決定部２８０は、画像３１２に付帯されて記録媒体３０に記録された、当該所定数の画像の撮像条件を読み出す。撮像条件とは、例えば焦点距離、絞り、シャッタ速度等を含む。そして、撮像条件決定部２８０は、Ｓ５２１において読み出した撮像条件を平均化する（Ｓ５２２）。例えば、撮像条件決定部２８０は、焦点距離、絞り、シャッタ速度等の制御値のそれぞれについて、Ｓ５２１において撮像条件を読み出した所定数の画像にわたって平均値を算出することによって平均値を算出する。そして、撮像条件決定部２８０は、撮像部２００の制御値を、算出した平均値にそれぞれ設定する。また、撮像条件決定部２８０は、撮像条件の微調整を使用者から受け付けてよい（Ｓ５２３）。
【００４３】
そして、撮像条件決定部２８０は、使用者の指示に応じて追加画像を撮像する（Ｓ５２４）。そして、画像記録部２１０は、Ｓ５２４において撮像された追加画像を記録媒体３０に記録する（Ｓ５２５）。このとき、撮像条件記録部２９０は、Ｓ５２４において追加画像を撮像したときの撮像条件を、例えば画像３１２の付帯情報として、画像記録部２１０に記録させる。なお、Ｓ５２１及びＳ５２２において、撮像条件決定部２８０は、選択画像の撮像条件を記録媒体３０から読み出して、読み出した撮像条件を、追加画像の撮像条件として決定してもよい。また、撮像条件決定部２８０は、選択画像の前又は後に表示される、選択画像を含む所定数の画像のうち、撮像時刻の最も新しい画像の撮像条件を、追加画像の撮像条件として決定してもよい。
【００４４】
上記の処理によると、撮像装置２０は、追加画像の近傍のタイミングで連続して表示される画像の撮像条件と似た撮像条件で、追加画像を撮像することができる。連続して表示させるべき画像は撮像状況が類似している場合が多く、それゆえ類似した撮像条件で撮像されることが望ましい場合が多い。撮像装置２０によると、連続して表示される一連の画像中に他の画像と全く異なる撮像条件で撮像された画像が含まれてしまう可能性を低減することができる。また、撮像装置２０によると、使用者が指定した追加画像の表示順に応じて、既に記録されている画像の撮像条件に基づいて迅速かつ適切に追加画像の撮像条件を決定することができる。
【００４５】
図７は、既に撮像された画像との関係において追加画像が表示される表示順序の一例を示す。本図の例において、撮像部２００が画像６００−１〜６の各々をこの順に撮像したので、画像表示部２２０は、画像６００−１〜６の各々をこの順に表示する。この場合、記録媒体３０においいては、画像６００−１〜６の識別情報の各々が、この順で、アルバム情報ファイル３３２に記録されている。画像６００−１〜６の間に他の画像を挿入して表示順序を変更するには、従来、新たな画像を撮像した上で、画像編集用の装置で画像の表示順序を並べ替えなければならなかった。
【００４６】
これに対して、本実施例に係る撮像装置２０において画像を追加して挿入するためには、使用者は、まず、挿入したい画像の前に表示すべき画像を選択画像として指定する。例えば本図の例においては、画像選択部２３０は、使用者の指定に基づいて、画像６００−３を選択画像として選択する。この選択画像は複数であってもよい。本図の例では、更に、画像選択部２３０は、画像６００−５を次の選択画像として選択する。画像選択部２３０は、使用者の指示に応じて、更に次の選択画像を選択してもよい。
【００４７】
続いて、撮像指示入力部２４０は、これら２以上の選択画像が選択された状態において、それぞれの選択画像の後に追加すべき追加画像を撮像する撮像指示を順次入力する。例えば、撮像指示入力部２４０が最初の撮像指示を入力したことに応じて、撮像部２００は、追加画像６１０−１を撮像する。そして、撮像指示入力部２４０が次の撮像指示を入力したことに応じて、撮像部２００は、追加画像６１０−２を撮像する。
【００４８】
画像追加部２５０は、２以上の選択画像のそれぞれについて、当該選択画像についての撮像指示に応じて撮像部２００により撮像された追加画像を、当該選択画像の後に表示する画像として画像記録部２１０に記録する。即ち本図では、画像追加部２５０は、画像６００−３についての撮像指示に応じて撮像された追加画像６１０−１を、画像６００−３の後に表示する画像として画像記録部２１０に記録する。更に、画像追加部２５０は、画像６００−５についての撮像指示に応じて撮像された追加画像６１０−２を、画像６００−５の後に表示する画像として画像記録部２１０に記録する。この結果、画像の表示順序は、画像６００−１、画像６００−２、画像６００−３、追加画像６１０−１、画像６００−４、画像６００−５、追加画像６１０−２、および画像６００−６の順となる。
【００４９】
このとき、記録媒体３０においては、これらの画像の識別情報が、その表示順序に従って、アルバム情報ファイル３３２に記録される。具体的には、アルバム情報ファイル記録部２６０は、まず、画像の元の表示順序が記録されたアルバム情報ファイル３３２を削除する。このアルバム情報ファイル３３２には、画像６００−１〜６の識別情報が、この順に記録されていた。そして、アルバム情報ファイル記録部２６０は、画像６００−１〜６の識別情報に、追加画像６１０−１および追加画像６１０−２の識別情報を挿入した順序配列を作成し、新たなアルバム情報ファイル３３２として記録媒体３０に記録する。このアルバム情報ファイル３３２は、画像６００−１、画像６００−２、画像６００−３、追加画像６１０−１、画像６００−４、画像６００−５、追加画像６１０−２、および画像６００−６の各々の識別情報をこの順に格納する。これにより、記録媒体３０を読み出す他の装置に対しても、編集後の画像表示順序を正しく伝えることができる。更に、アルバム情報ファイル３３２と画像データを別個のファイルとして管理することで、表示順序変更により更新すべきデータの量を低減できる。
【００５０】
なお、本図において、選択画像である画像６００−３及び６００−５の後に、追加画像である画像６１０−１及び６１０−２がそれぞれ挿入される例について説明した。その他、画像追加部２５０は、選択画像である画像６００−３及び６００−５に代えて、追加画像である画像６１０−１及び６１０−２をそれぞれ表示するよう、アルバム情報記録部２６０にアルバム情報ファイル３３２を記録させてもよい。この場合、画像の表示順序は、画像６００−１、画像６００−２、追加画像６１０−１、画像６００−４、追加画像６１０−２、および画像６００−６の順となる。
【００５１】
なお、撮像条件決定部２８０は、追加画像が表示される前又は後のタイミングで表示される所定数の画像の撮像条件を読み出す。例えば本図において、撮像条件決定部２８０は、画像６１０−１を撮像するための撮像条件を決定すべく、画像６００−３及び画像６００−４の撮像条件を記録媒体３０から読み出し、画像６１０−２を撮像するための撮像条件を決定すべく、画像６００−５及び画像６００−６の撮像条件を記録媒体３０から読み出してよい。なお、撮像条件決定部２８０は、選択画像である画像６００−３及び画像６００−５の撮像条件のみを記録媒体３０から読み出してもよい。撮像装置２０によると、アルバム情報ファイル３３２を読み込むことによって画像の表示順を容易に特定することができ、したがって全ての画像の付帯情報を読み込むことなく画像の付帯情報として記録された撮像条件を速やかに読み出すことができる。
【００５２】
図８は、画像表示部２２０が表示するモニタ画面８００の一例を示す。撮像装置２０は、レリーズボタン８６０、オペレーションボタン８５０、モニタ画面８００を持つ。画像表示部２２０は、モニタ画面８００の画像表示領域８２０−１、８２０−２、８２０−３、及び８２０−４（以降８２０と表記）に、それぞれ画像記録部２１０が記録した複数の画像６００−３、６００−４、６００−５、及び６００−６を、アルバム情報ファイル記録部２６０に記録された表示順で左から右に表示させる。そして、表示タイミング指示入力部２７０は、使用者によるオペレーションボタン８５０の操作に応じて、追加画像を追加する表示順を示すマーク８４０を移動させる。
【００５３】
例えば、表示タイミング指示入力部２７０が右方向への移動を示す操作がオペレーションボタン８５０に対して行われたことを検出した場合に、追加位置表示制御部２７２は、現在選択されている表示順を示すマーク８４０を右方向に移動させる。そして、表示タイミング指示入力部２７０がオペレーションボタン８５０に対して追加画像の追加するタイミングを確定する操作が行われたことを検出すると、そのときのマークが示す位置に追加画像を追加する旨を決定する。本図の例では、画像６００−３及び画像６００−４の間に追加画像が挿入される旨が確定されている。追加位置表示制御部２７２は、既に確定された表示順を示すマーク８３０を、現在選択されている表示順を示すマーク８４０と異なるデザインで、画像表示部２２０に表示させてよい。
【００５４】
撮像部２００が被写体を連続的に撮像することによって得られるモニタ画像は、画像表示領域８２０とは異なる画像表示領域８１０に時間的に連続的に表示される。使用者は、画像表示領域８１０に表示された画像を確認しながら、撮像条件の設定、撮像範囲の設定等、種々の撮像操作を行う。撮像指示入力部２４０が使用者によるレリーズボタン８６０の押下を検出すると、撮像指示入力部２４０は撮像部２００に追加画像を撮像すべく被写体を撮像させる。このように、撮像装置２０は、追加画像が表示される表示順を、マーカ８４０を用いて使用者に直感的に指定させることができる。
【００５５】
図９は、画像表示部２２０が表示するモニタ画面８００の他の一例を示す。画像表示部２２０は、モニタ画面８００における画像表示領域９２０−１、９２０−２、及び９２０−３に、画像記録部２１０が記録した画像６００−４、６００−５、及び６００−６を、アルバム情報ファイル記録部２６０に記録された表示順で前面から後面へと表示させる。このとき、画像表示部２２０は、画像６００−４、６００−５、及び６００−６を、互いに部分的に重なった状態で表示させる。そして、追加位置表示制御部２７２は、画像記録部２１０が記録した複数の画像６００−４、６００−５、及び６００−６のうちの最前面の画像（すなわち、それらの画像の中で最も早いタイミングで表示される画像である画像６００−４）の前面の画像表示領域９１０に、モニタ画像を表示する。これにより、使用者は、追加画像、画像６００−４、６００−５、及び６００−６の順で画像が表示されるべく記録されることを、モニタ画面８００から直感的に理解することができる。
【００５６】
以上、本実施例に係る撮像装置２０によれば、既に撮像された画像との関係で追加して撮像する画像を表示させる順序を、簡単な操作で変更することができる。これにより、画像編集用の装置を用いた従来の方法とは異なり、撮像時の記憶が薄れないうちに適切な編集を行うことができる。より詳細には、例えば以下のような状況において使用者の利便性を高めることができる。運動会、入学・卒業式、または講演会等の行事でスナップ写真を撮像している場合において、行事のタイトル等が表示された標識の写真を撮り忘れたことに後から気がつく場合がある。このような場合、行事の帰り際に標識を撮像してしまうと、その行事に特徴的な写真であるにもかかわらず、その写真は一番最後に表示されてしまう。このような場合、撮像装置の操作によって画像の表示順序を並べ替えることができれば、その行事の記憶が薄れないうちに適切な編集を行うことができる。
【００５７】
図１０は、本実施形態の撮像装置２０に係るコンピュータ１５００のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００５８】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００５９】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介して撮像装置２０と通信し、撮像装置２０にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００６０】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００６１】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介して撮像装置２０に送信される。撮像装置２０に送信されたプログラムは、撮像装置２０においてインストールされて実行される。
【００６２】
撮像装置２０にインストールされて実行されるプログラムは、撮像装置２０を、図１から図９に関連して説明した撮像部２００と、画像記録部２１０と、画像表示部２２０と、表示タイミング指示入力部２７０と、撮像指示入力部２４０と、画像追加部２５０と、アルバム情報ファイル記録部２６０と、追加位置表示制御部２７２と、撮像条件決定部２８０と、及び撮像条件記録部２９０として機能させる。また、当該プログラムは、表示タイミング指示入力部２７０を、図１から図９に関連して説明した画像選択部２３０として機能させる。
【００６３】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６５】
【図１】図１は、画像管理システム１０の全体構成を示す。
【図２】図２は、撮像装置２０の機能を機能ブロックに分類して示す。
【図３】図３は、記録媒体３０のデータ構造の一例を示す。
【図４】図４は、画像選択部２３０が選択画像を選択する処理の処理フローを示す。
【図５】図５は、画像追加部２５０が追加画像を追加する処理の処理フローを示す。
【図６】図６は、Ｓ５２０の詳細な処理フローを示す。
【図７】図７は、既に撮像された画像との関係において追加画像が表示される表示順序の一例を示す。
【図８】図８は、撮像装置２０のモニタ画面８００の一例を示す。
【図９】図９は、撮像装置２０のモニタ画面８００の他の一例を示す。
【図１０】図１０は、撮像装置２０に係るコンピュータ１５００のハードウェア構成の一例を示す。
【符号の説明】
【００６６】
１０  画像管理システム
２０  撮像装置
３０  記録媒体
２００  撮像部
２１０  画像記録部
２２０  画像表示部
２３０  画像選択部
２４０  撮像指示入力部
２５０  画像追加部
２６０  アルバム情報ファイル記録部
２７０  表示タイミング指示入力部
２７２  追加位置表示制御部
２８０  撮像条件決定部
２９０  撮像条件記録部
６００  画像
６１０  追加画像
【図１】
2007043664.tif 000003
【図２】
2007043664.tif 000004
【図３】
2007043664.tif 000005
【図４】
2007043664.tif 000006
【図５】
2007043664.tif 000007
【図６】
2007043664.tif 000008
【図７】
2007043664.tif 000009
【図８】
2007043664.tif 000010
【図９】
2007043664.tif 000011
【図１０】
2007043664.tif 000012